(57)【特許請求の範囲】
【請求項１】
棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の底部にまで達する切欠部を設けるとともに、該切欠部の上端縁に連設され、且つ該切欠部の少なくとも一部を閉塞する閉塞部を設け、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させ、その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部が前記収容空間に向けて突出するようにした棒状化粧料容器。
【請求項２】
棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の上端縁にまで達する切欠部を設けるとともに、該切欠部の下端縁に連設され、且つ該切欠部の少なくとも一部を閉塞する閉塞部を設け、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させるときに、前記閉塞部の前記上端縁を棒状化粧料の一部に当接させ、その当接によって該閉塞部の該上端縁を下方に押し下げることで、該閉塞部を前記突出誘導部を起点として変形させ、この変形によって形成された突出部が前記収容空間に向けて突出するようにした棒状化粧料容器。
【請求項３】
前記突出誘導部として、前記閉塞部にその幅方向に沿って延びる折曲誘導部を長手方向に距離を隔てて少なくとも３つ設け、
前記閉塞部を、前記折曲誘導部を起点としてく字状に折曲させ、この折曲によって形成された前記突出部が前記収容空間に向けて突出するようにした請求項１又は２に記載の棒状化粧料容器。
【請求項４】
前記閉塞部のうち、前記折曲誘導部が、該閉塞部の他の部分よりも薄く形成されている請求項３に記載の棒状化粧料容器。
【請求項５】
長手方向に距離を隔てて設けられた３つの前記折曲誘導部のうち、中央に位置する該折曲誘導部の幅が、他の２つの該折曲誘導部の幅よりも狭くなっており、それによって、前記閉塞部に括れ部が形成されている請求項３又は４に記載の棒状化粧料容器。
【請求項６】
一つの前記閉塞部に、折曲によって複数の前記突出部が形成されるように前記折曲誘導部が形成されており、該閉塞部の折曲によって形成される複数の該突出部は、長手方向において異なる位置に位置している請求項３ないし５のいずれか一項に記載の棒状化粧料容器。
【請求項７】
前記突出部は、その先端部に向かう長さが、前記幅方向に沿う長さよりも短くなっている請求項１ないし６のいずれか一項に記載の棒状化粧料容器。
【請求項８】
前記突出部は、その先端部に向かうに連れ、幅方向に沿う長さが漸次短くなっている請求項１ないし７のいずれか一項に記載の棒状化粧料容器。
【請求項９】
前記突出誘導部として、前記閉塞部に、その幅方向に沿って延びる薄肉部を、該閉塞部の長手方向にわたって所定の長さで設け、
前記閉塞部を、前記薄肉部において撓ませ、この撓みによって形成された前記突出部が前記収容空間に向けて突出するようにした請求項１又は２に記載の棒状化粧料容器。
【請求項１０】
前記閉塞部が、前記中皿の周方向に沿って複数設けられている請求項１ないし９のいずれか一項に記載の棒状化粧料容器。
【請求項１１】
前記閉塞部が、前記中皿の周方向に沿って複数設けられており、
各閉塞部の折曲によって形成される前記突出部の位置が、長手方向において互いに異なっている請求項１ないし１０のいずれか一項に記載の棒状化粧料容器。
【請求項１２】
前記閉塞部が、１８０度対向する位置に一対設けられている請求項１ないし１１のいずれか一項に記載の棒状化粧料容器。
【請求項１３】
請求項１ないし１０のいずれか一項に記載の棒状化粧料容器と、その棒状化粧料容器の収容空間内に下端域が収容されている棒状化粧料とを備えた棒状化粧料製品。
【請求項１４】
棒状化粧料の下端域の収容が可能な収容空間を有する有底筒状の中皿と、該中皿の底部に連設された該中皿の昇降機構と、該中皿を収容する外筒と前記収容空間内に前記下端域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の底部にまで達する切欠部が設けられているとともに、該切欠部の上端縁に連設され、且つ該切欠部の少なくとも一部を閉塞する閉塞部が設けられており、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部が設けられており、
前記中皿の前記収容空間に前記棒状化粧料の前記下端域を収容させる工程と、
その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部を前記収容空間に向けて突出させ、該下端域を該収容空間内に係止する工程とを備えた、棒状化粧料製品の製造方法。
【請求項１５】
棒状化粧料の下端域の収容が可能な収容空間を有する有底筒状の中皿と、該中皿の底部に連設された該中皿の昇降機構と、該中皿を収容する外筒と、前記収容空間内に前記下端
域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の上端縁にまで達する切欠部が設けられているとともに、該切欠部の下端縁に連設され、且つ該切欠部の少なくとも一部を閉塞する閉塞部が設けられており、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記製造方法は、前記中皿の前記収容空間に前記棒状化粧料の前記下端域を収容させる工程を備え、
前記工程においては、前記閉塞部の前記上端縁を前記棒状化粧料の一部に当接させ、その当接によって該閉塞部の該上端縁を下方に押し下げることで、該閉塞部を前記突出誘導部を起点として変形させ、この変形によって形成された突出部を前記収容空間に向けて突出させ、該下端域を該収容空間内に係止する、棒状化粧料製品の製造方法。
【発明の詳細な説明】
【技術分野】
【０００１】
本発明は、口紅を初めとする各種棒状化粧料の容器に関する。また本発明は、棒状化粧料製品及びその製造方法に関する。
【背景技術】
【０００２】
口紅を初めとする各種の棒状化粧料は、一般に中皿と呼ばれる有底筒状の容器を具備する繰り出し容器に装着されて使用されることが多い。金型等によって予め成型された棒状化粧料は、その下端が中皿内に挿入されて保持される。棒状化粧料が中皿内から抜け落ちないようにするために、一般に中皿の内周面には、該中皿内に挿入された棒状化粧料を保持するための係止用リブが設けられている。係止用リブとしては、棒状化粧料の挿入方向と平行に設置される縦リブが知られている。
【０００３】
上述の縦リブを用いた場合、棒状化粧料の係止保持が十分でなく、棒状化粧料が中皿から抜け落ちてしまう可能性がある。確実に係止しようとすると、リブの突出量を大きくせざるを得ないところ、リブの突出量を大きくすると棒状化粧料に割れや折れが生じやすくなる。そこで特許文献１においては、棒状化粧料の係止部材を備えた中皿において、該係止部材が、該中皿の内周面から出没自在とした係止爪を備えているものが提案されている。
【先行技術文献】
【特許文献】
【０００４】
【特許文献１】特開２００４−３４３号公報
【発明の概要】
【発明が解決しようとする課題】
【０００５】
特許文献１に記載の技術では、棒状化粧料を中皿内に挿入した状態にした後、これらを案内スリーブ内に嵌挿することで、案内スリーブの内周面が、突出した弾性係止片の下端外周に当接して、係止爪を内周面から突出させて棒状化粧料の側面に食い込ませ、保持させている。この技術によれば、棒状化粧料を中皿内に円滑に挿入でき、また棒状化粧料の保持も行える。しかし棒状化粧料製品の組み立てに手間がかかるという欠点がある。
【０００６】
したがって本発明の課題は、前述した従来技術が有する欠点を解消し得る棒状化粧料容器、棒状化粧料製品及びその製造方法を提供することにある。
【課題を解決するための手段】
【０００７】
本発明は、棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の底部にまで達する切欠部を設けるとともに、該切欠部の上端縁に連設され、且つ該切欠部の少なくとも一部を閉塞する閉塞部を設け、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させ、その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部が前記収容空間に向けて突出するようにした棒状化粧料容器を提供するものである。
【０００８】
また本発明は、棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の上端縁にまで達する切欠部を設けるとともに、該切欠部の下端縁に連設され、且つ該切欠部の少なくとも一部を閉塞する閉塞部を設け、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させるときに、前記閉塞部の前記上端縁を棒状化粧料の一部に当接させ、その当接によって該閉塞部の該上端縁を下方に押し下げることで、該閉塞部を前記突出誘導部を起点として変形させ、この変形によって形成された突出部が前記収容空間に向けて突出するようにした棒状化粧料容器を提供するものである。
【０００９】
更に本発明は、棒状化粧料の下端域の収容が可能な収容空間を有する有底筒状の中皿と、該中皿の底部に連設された該中皿の昇降機構と、該中皿を収容する外筒と前記収容空間内に前記下端域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の底部にまで達する切欠部が設けられているとともに、該切欠部の上端縁に連設され、且つ該切欠部の少なくとも一部を閉塞する閉塞部が設けられており、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部が設けられており、
前記中皿の前記収容空間に前記棒状化粧料の前記下端域を収容させる工程と、
その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部を前記収容空間に向けて突出させ、該下端域を該収容空間内に係止する工程とを備えた、棒状化粧料製品の製造方法を提供するものである。
【００１０】
更にまた本発明は、棒状化粧料の下端域の収容が可能な収容空間を有する有底筒状の中皿と、該中皿の底部に連設された該中皿の昇降機構と、該中皿を収容する外筒と、前記収容空間内に前記下端域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の上端縁にまで達する切欠部が設けられているとともに、該切欠部の下端縁に連設され、且つ該切欠部の少なくとも一部を閉塞する閉塞部が設けられており、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記製造方法は、前記中皿の前記収容空間に前記棒状化粧料の前記下端域を収容させる工程を備え、
前記工程においては、前記閉塞部の前記上端縁を前記棒状化粧料の一部に当接させ、その当接によって該閉塞部の該上端縁を下方に押し下げることで、該閉塞部を前記突出誘導部を起点として変形させ、この変形によって形成された突出部を前記収容空間に向けて突出させ、該下端域を該収容空間内に係止する、棒状化粧料製品の製造方法を提供するものである。
【発明の効果】
【００１１】
本発明によれば、中皿内への棒状化粧料の保持を確実に行いつつ、該棒状化粧料を該中皿内へ容易に保持させることができる。
【図面の簡単な説明】
【００１２】
【図１】図１は、本発明の棒状化粧料容器及び棒状化粧料を備えた棒状化粧料製品の縦断面図である。
【図２】図２は、本発明の棒状化粧料容器及び棒状化粧料を備えた棒状化粧料製品の分解斜視図である。
【図３】図３は、中皿における閉塞部を拡大して示す長手方向に沿う断面図である。
【図４】図４（ａ）ないし（ｄ）は、棒状化粧料容器及び棒状化粧料を備えた棒状化粧料製品の製造工程を順次示す縦断面図である。
【図５】図５は、中皿における閉塞部がく字状に屈曲した状態を示す斜視図である。
【図６】図６は、本発明の棒状化粧料容器における中皿の別の実施形態を示す斜視図である。
【図７】図７（ａ）及び（ｂ）は、本発明の棒状化粧料容器及び棒状化粧料を備えた棒状化粧料製品の別の実施形態を示す長手方向に沿う縦断面図（図４相当図）である。
【図８】図８（ａ）及び（ｂ）は、本発明の棒状化粧料容器及び棒状化粧料を備えた棒状化粧料製品の別の実施形態を示す長手方向に沿う断面図（図３相当図）である。
【図９】図９は、本発明の棒状化粧料容器における中皿の更に別の実施形態を示す斜視図である。
【図１０】図１０（ａ）ないし（ｃ）は、図９に示す中皿を有する棒状化粧料容器及び棒状化粧料を備えた棒状化粧料製品の製造工程を順次示す縦断面図（図４相当図）である。
【図１１】図１１は、図９に示す中皿を有する棒状化粧料製品の縦断面図（図１相当図）である。
【発明を実施するための形態】
【００１３】
以下本発明を、その好ましい実施形態に基づき図面を参照しながら説明する。図１及び図２には、本発明の第１実施形態の棒状化粧料容器１と、棒状化粧料２とを具備する棒状化粧料製品３が示されている。図１には、棒状化粧料製品３が棒状化粧料容器１と棒状化粧料２とから構成されている状態が示されているが、棒状化粧料製品３は、これらの構成要素に加えて、図１に二点鎖線で示すキャップ４を備えていてもよい。
【００１４】
棒状化粧料製品３の構成要素の一つである棒状化粧料容器は、中皿１０を備えている。中皿１０は、環状周壁部１１及び底部１２を有する有底筒状の形状をした部材である。環状周壁部１１の横断面形状は例えば円形とすることができる。中皿１０においては、環状周壁部１１と底部１２とで、上方に向けて開口した空間Ｓが画成されている。この空間Ｓは、棒状化粧料２の下端域２ａの収容が可能な収容空間となっている。空間Ｓと棒状化粧料２の下端域２ａとは概ね相補形状になっている。
【００１５】
中皿１０の底部１２には、該中皿１０の昇降機構２０が連設されている。昇降機構２０は、昇降基部２１を有している。昇降基部２１は筒状の形状をしており、その外周面に、周方向に沿って延びる複数の環状段差部を有している。複数の環状段差部は昇降基部２１の上下方向に沿って距離を隔てて形成されている。複数の環状段差部のうち、最も下側に位置する第１段差部２１ａは、昇降機構２０が、後述する本体基部４０内に収容されたときに、図１に示すとおり、該本体基部４０の内周壁に突設された係合用突起部４２と係合するようになっている。第１段差部２１ａよりも上下方向の上方の位置には第２段差部２１ｂが形成されている。第２段差部２１ｂは、図１に示すとおり、後述する外筒３０内に昇降機構２０が収容された状態において、該外筒３０の下端域に形成された係合用環状突起部３１と係合するようになっている。第２段差部２１ｂよりも上下方向の上方の位置には第３段差部２１ｃが形成されている。第３段差部２１ｃには、図２に示すとおり、Ｏリング２４が取り付けられている。Ｏリング２４は、外筒３０内に昇降機構２０が収容された状態において、該外筒３０と昇降機構２０との間にがたつき等が生じないようにするために用いられる。また中皿１０の底部１２には、棒状化粧料２の下端域２ａを中皿１０の収容空間Ｓに挿入する際に、収納空間Ｓ内の空気を収納空間Ｓ外に排出するための排気孔２７が設けられている。
【００１６】
図１に示すとおり、昇降基部２１はこれを横断面視したときに、その中央域が空間２１ｓになっている。この空間２１ｓは昇降基部２１の上下方向に沿って延びており、上部において開口している。この空間２１ｓを画成する内周壁には雌ネジ２１ｄが設けられている。空間２１ｓ内には、第１昇降部２２が挿入される。第１昇降部２２は略円筒形をした部材であり、その外面に雄ネジ２２ａが設けられている。この雄ネジ２２ａは、上述した昇降基部２１の雌ネジ２１ｄと螺合するようになっている。したがって第１昇降部２２を昇降基部２１の空間２１ｓ内に挿入するときには、第１昇降部２２をその軸周りに回転させて、雄ネジ２２ａと雌ネジ２１ｄとの螺合を進行させる。螺合の進行によって第１昇降部２２は降下する。第１昇降部２２の回転方向を反転させることで、第１昇降部２２は上昇する。第１昇降部２２の降下は、該第１昇降部２２の上端に設けられているフランジ部２２ｃが、昇降基部２１の上端部に当接することで規制されるようになっている。
【００１７】
図１に示すとおり、略円筒形をしている第１昇降部２２には、その内部に形成された空間を画成する内周壁に、雌ネジ２２ｂが設けられている。第１昇降部２２の内部の空間内には、第２昇降部２３が挿入される。第２昇降部２３は略円柱形をした部材であり、その外面に雄ネジ２３ａが設けられている。この雄ネジ２３ａは、上述した第１昇降部２２の雌ネジ２２ｂと螺合するようになっている。第２昇降部２３を第１昇降部２２の空間内に挿入するときには、第２昇降部２３をその軸周りに回転させて、雄ネジ２３ａと雌ネジ２２ｂとの螺合を進行させる。螺合の進行によって第２昇降部２３は降下する。第２昇降部２３の回転方向を反転させることで、第２昇降部２３は上昇する。第２昇降部２３の降下は、該第２昇降部２３が、上述した第１昇降部２２の上端に設けられているフランジ部２２ｃに当接することで規制されるようになっている。
【００１８】
棒状化粧料容器１は外筒３０を備えている。外筒３０は薄肉の円筒形をした部材であり、その内部に、上述した中皿１０及び昇降機構２０を収容可能になっている。外筒３０の下端縁は、該外筒３０の軸線と直交する平面上に位置している。これとは対照的に外筒の上端縁３０ａは、斜円柱の底面の周形状をしている。したがって上端縁３０ａは、最上点３０ｂと最下点３０ｃとを有している。外筒３０の下端域には、該外筒３０の周方向に沿って延びる係合用環状突起部３１が形成されている。係合用環状突起部３１は、外筒３０の内部の空間へ向けて突出している。係合用環状突起部３１は、上述したとおり、昇降機構２０の昇降基部２１における第２段差部２１ｂと係合するようになっている。
【００１９】
棒状化粧料容器１は本体基部４０を備えている。本体基部４０はその外形が、稜線が丸みを帯びた略角柱状をしている。本体基部４０は、これを横断面視したときに、その中央域が空間４１になっている。この空間４１は本体基部４０の上下方向に沿って延びており、上部において開口している。空間４１内には、外筒３０及び昇降機構２０、並びに棒状化粧料の下端域２ａが収容される。本体基部４０の空間４１を画成する内周壁には、その下端域に係合用突起部４２が突設されている。この係合用突起部４２は、上述したとおり、昇降機構２０の昇降基部２１における第１段差部２１ａと係合するようになっている。本体基部４０は、本実施形態においては稜線が丸みを帯びた略角柱状であるが、これに代えて横断面が円形や楕円形であってもよく、あるいは横断面が三角形、四角形、五角形及び六角形等の多角形等の他の形状であっても良い。
【００２０】
図２に示すとおり、中皿１０は、その周方向に沿う幅方向と、該幅方向と直交する長手方向Ｘとを有する。長手方向Ｘは、中皿の上下方向と一致する。したがって以下の説明では長手方向のことを上下方向ともいう。中皿１０には、その側面である環状周壁部１１に切欠部１３が設けられている。切欠部１３は、中皿１０の周方向に沿って、環状周壁部１１に複数箇所設けられている。切欠部１３は、中皿１０の下端縁１０ｂの位置から、中皿１０の上下方向Ｘに沿って上方に向けて略平行に延びる同じ長さの２本の切り込み線を入れることで形成されている。この切り込み線は中皿１０の上端縁１０ａにまでは達していない。切欠部１３は略矩形の形状をしている。また切欠部１３は、中皿１０の下端縁１０ｂを含むように形成されている。すなわち切欠部１３は、中皿１０の上下方向に延び且つ該中皿１０の底部１２にまで達している。
【００２１】
切欠部１３の上端縁１３ａには、閉塞部１５が連設されている。閉塞部１５は、上下方向Ｘに沿って延びており、上端縁１５ａ及び下端縁１５ｂを有している。上端縁１５ａは、上述した切欠部１３の上端縁１３ａと同位置にある。閉塞部１５は、切欠部１３の少なくとも一部を閉塞する形状をしていればよく、切欠部１３を完全に閉塞するような形状あることは要しない。尤も、閉塞部１５が切欠部１３を完全に閉塞するような形状であることは好ましい形態の一つである。閉塞部１５は、切欠部１３の形成個数に対応する個数が形成されている。本実施形態においては、中皿１０の周方向に沿った見たとき、一対の切欠部１３，１３が１８０度対向する位置に設けられている。これに対応して、一対の閉塞部１５，１５が１８０度対向する位置に設けられている。
【００２２】
図２に示すとおり、各閉塞部１５は、その下端縁１５ｂが中皿１０の底部１２を越えて下方に延出している。延出の度合いは、２つの閉塞部１５において同じであってもよく、あるいは異なっていてもよい。本実施形態においては、２つの閉塞部１５の延出の度合いは同じになっている。
【００２３】
図２に示すとおり、閉塞部１５のうち、その上端縁１５ａと下端縁１５ｂとの間の位置には、中皿１０の収容空間Ｓ内に突出する部位の形成が可能な突出誘導部１７が設けられている。突出誘導部１７としては例えば図３に示すとおり、閉塞部１５にその幅方向に沿って延びる折曲誘導部１８ａ，１８ｂ，１８ｃを、上下方向Ｘに距離を隔てて少なくとも３つ設けたものから構成したものを用いることができる。折曲誘導部１８ａ，１８ｂ，１８ｃは、閉塞部１５における他の部分よりも薄く形成されていることで折曲性向を有することが好ましい
【００２４】
以上の構成を有する棒状化粧料容器１を用い、これに棒状化粧料２を固定することで、目的とする棒状化粧料製品３が得られる。この工程を図４（ａ）ないし（ｄ）を参照しながら説明する。まず図４（ａ）に示すとおり、本体基部４０内に、中皿１０を含む昇降機構２０、及び外筒３０を組み付ける。この時点では、棒状化粧料２は中皿１０内に挿入されていない。組み付けに際しては、昇降機構２０における第１昇降部２２及び第２昇降部２３を回転させて、これらの繰り出し／繰り下げ状態を調節しておく。例えば図４（ａ）に示すとおり、第１昇降部２２を最も繰り下げた状態にしておくとともに、第２昇降部２３を最も繰り出した状態にしておく。第１及び第２昇降部２２，２３の繰り出し／繰り下げ状態がどのような場合であっても、棒状化粧料２を中皿１０内に挿入する前は、該中皿１０の閉塞部１５における下端部１５ｂが、昇降機構２０のいずれの部材にも接していないようにする。したがって閉塞部１５における突出誘導部１７に変形は生じていない。
【００２５】
次いで図４（ｂ）に示すとおり、中皿１０の収容空間Ｓ（図４（ａ）参照）に棒状化粧料２の下端域２ａ（図２参照）を収容させる。中皿１０における閉塞部１５は、その内面が、該中皿１０の環状周壁部１１（図２参照）の内面と滑らかに連なっているので、収容空間Ｓへの下端域２ａの挿入は円滑に行われる。棒状化粧料２を収容空間Ｓ内に収容させるときには、昇降機構２０の昇降は行わず、中皿１０の位置は、図４（ａ）に示す状態と同様としておく。すなわち、中皿１０の閉塞部１５における下端縁１５ｂが、昇降機構２０のいずれの部材にも接していないようにしておく。
【００２６】
棒状化粧料２が中皿１０の収容空間Ｓ内に収容されたら、外筒３０を把持した状態で本体基部４０を軸周りに回転させる。これによって図４（ｃ）に示すとおり、繰り出し状態になっている第２繰り出し部２３及びこれに連設されている中皿１０が次第に繰り下げられる。それに連れて、中皿１０に設けられている閉塞部１５も繰り下がり、該閉塞部１５における下端縁１５ｂが、昇降機構２０の一部に当接する。図４（ｃ）に示す形態においては、閉塞部１５における下端縁１５ｂが昇降機構２０の一部である昇降基部２１の上端に当接した状態が示されている。この時点では、閉塞部１５における突出誘導部１７には変形が生じていないか、又は収容空間Ｓ内に向けての若干の変形が生じる。
【００２７】
中皿１０の繰り下げを更に進行させると、閉塞部１５における下端縁１５ｂが昇降基部２１の上端に当接した状態が維持されたままであることから、該下端縁１５ｂを上方に押し上げる力が閉塞部１５に加わる。閉塞部１５に加わったこの力は、該閉塞部１５における突出誘導部１７に作用して、図４（ｄ）に示すとおり、該突出誘導部１７を起点として該閉塞部１５が変形する。この変形によって、図５に示すとおり突出部１６が形成され、該突出部１６が収容空間Ｓに向けて突出する。形成された突出部１６は、棒状化粧料２の下端域２ａに食い込む。これによって棒状化粧料２の下端域２ａが中皿１０の収容空間Ｓ内に確実に係止される。このようにして、目的とする棒状化粧料製品３（図１参照）が得られる。なお、図５においては、理解の助けとするために、棒状化粧料２は省略されている。
【００２８】
以上のとおり、本実施形態によれば、棒状化粧料製品３の製造の過程において棒状化粧料２の取付及び係止が行われるので、棒状化粧料容器１の外側から特殊な操作を行うことなく、中皿１０内への棒状化粧料２の保持を確実に行いつつ、該棒状化粧料２を該中皿１０内へ容易に保持させることができるという利点がある。
【００２９】
閉塞部１５に形成された突起部１６による棒状化粧料２の係止を確実にし、且つ突起部１６が棒状化粧料２に食い込むことによって生じるおそれのある割れや折れの発生を効果的に防止するために、突出部１６は、その先端部に向かう長さが、幅方向に沿う長さよりも短くなっていることが好ましい。すなわち突起部１６は、その突出方向に沿う長さが、該突起部１６の基部における幅よりも短くなっていることが好ましい。突起部１６の突出方向に沿う長さをＬとし、突起部１６の基部における幅をＷとしたとき、Ｌ／Ｗの値は０．０５以上、特に０．１以上であることが好ましく０．７以下、特に０．５以下であることが好ましい。例えばＬ／Ｗの値は０．０５以上０．７以下であることが好ましく、０．１以上０．５以下であることが更に好ましい。
【００３０】
係止用突起１６は、棒状化粧料２を確実に係止する機能を損なわない範囲で厚みが薄いことが、該係止用突起１６が棒状化粧料２に食い込みやすい点、及び棒状化粧料２に割れや折れが生じにくくなる点から好ましい。
【００３１】
前記と同様の目的により、突起部１６は、その突出方向の先端部に向かうに連れ、その幅が漸次短くなっていることが好ましい。この場合、突起部１６の先端は、尖鋭であることが、該突起部１６が棒状化粧料２に食い込みやすい点、及び棒状化粧料２に割れや折れが生じにくくなる点から好ましい。このような形態の突起部１６を形成するためには、例えば図６に示すとおり、上下方向Ｘに距離を隔てて設けられた３つの折曲誘導部１８ａ，１８ｂ，１８ｃのうち、中央に位置する折曲誘導部１８ｂの周方向に沿う幅を、他の２つの該折曲誘導部１８ａ，１８ｃの周方向に沿う幅よりも狭くすることが好ましい。この場合には、同図に示すとおり、閉塞部１５に括れ部が形成されることになる。
【００３２】
これまで説明してきた実施形態のように、中皿１０に周方向に沿って複数の閉塞部１５を設けた場合には、閉塞部１５の折曲によって形成される突出部１６の位置が、上下方向Ｘにおいて互いに異なるように、該閉塞部１５に突出誘導部１７を設けることが好ましい。これによって、突出部１６の食い込みに起因する応力が分散されるので、棒状化粧料２に割れや折れ等の欠陥が発生しづらくなる。
【００３３】
図７（ａ）及び（ｂ）には、中皿１０の別の実施形態が示されている。同図に示す中皿１０には、切欠部（図示せず）の上端縁１３ａを介して閉塞部１５が１つ設けられている。そして１つの閉塞部１５に、折曲によって複数の突出部１６１，１６２が形成されるように突出誘導部１７１，１７２が形成されている。図７（ａ）及び（ｂ）に示す実施形態においては、上下方向Ｘに沿って２つの突出誘導部１７１，１７２が形成されている状態が示されている。図示していないが、それぞれの突出誘導部１７１，１７２にはそれぞれ、上下方向Ｘに距離を隔てて、幅方向に沿って延びる折曲誘導部を少なくとも３つ設けてある。
【００３４】
図７（ａ）に示す実施形態は、先に述べた図４（ｂ）に示す実施形態と同様であり、昇降機構２０における第１昇降部２２は最も繰り下げた状態になっているとともに、第２昇降部２３は最も繰り出された状態になっている。この状態下に、中皿１０の収容空間Ｓ（図２参照）内に、棒状化粧料２の下端域２ａ（図２参照）が挿入される。この状態から、繰り出し状態になっている第２繰り出し部２３及びこれに連設されている中皿１０を次第に繰り下げて、それに連れて、中皿１０に設けられている閉塞部１５も繰り下げる。そして、該閉塞部１５における下端縁１５ｂを、昇降機構２０の一部である昇降基部２１の上端に当接させる。更に第２繰り出し部２３及びこれに連設されている中皿１０を繰り下げて、閉塞部１５における下端縁１５ｂを上方に押し上げる力を該閉塞部１５に加える。この力は、閉塞部１５における突出誘導部１７１，１７２に作用して、図７（ｂ）に示すとおり、各突出誘導部１７１，１７２を起点として該閉塞部１５が変形する。この変形によって、図７（ｂ）に示すとおり突出部１６１，１６２が形成され、該突出部１６１，１６２が棒状化粧料２に食い込み、該棒状化粧料２を係止する。この係止状態において２つの突出部１６１，１６２は、上下方向Ｘにおいて異なる位置に位置している。このような態様で突起１６１，１６２が形成されることで、棒状化粧料２を一層確実に係止することができる。また、複数の突起１６１，１６２を形成することで、個々の係止用突起の突出長さを短くして、棒状化粧料２に割れや折れが生じることを一層防止しつつ、係止を確実に行うことができる。
【００３５】
図８（ａ）及び（ｂ）に示す実施形態は、これまでに説明してきた実施形態と比較して、中皿１０に形成された閉塞部１５における突出誘導部１７の形態が相違している。詳細には、これまでの実施形態における突出誘導部１７は、閉塞部１５にその幅方向に沿って延びる折曲誘導部１８ａ，１８ｂ，１８ｃを上下方向Ｘに距離を隔てて少なくとも３つ設けたものであったのに対して、本実施形態の突出誘導部１７は、閉塞部１５に、その幅方向に沿って延びる薄肉部１９を、閉塞部１５の上下方向Ｘにわたって所定の長さで設けたものからなる。薄肉部１９は、閉塞部１５における他の部位と比較して厚みが薄く形成されている。薄肉部１９は閉塞部１５の幅方向の全域にわたって形成されていることが好ましいが、該薄肉部１９が上下方向から加わる力に対して変形可能である限り、閉塞部１５の幅方向に沿って延びていれば、その形状に特に制限はない。また、薄肉部１９の上下方向Ｘに沿う長さは、該薄肉部１９が上下方向から加わる力に対して変形し、棒状化粧料２に十分に当接するように突出する長さであれば、特に制限はない。
【００３６】
図８（ａ）及び（ｂ）のうち、図８（ａ）は、中皿１０の繰り下げが進行して、該中皿１０における閉塞部１５の下端縁１５ｂが昇降機構２０の一部である昇降基部２１の上端に当接し始めた状態を示している。この状態においては、閉塞部１５における薄肉部１９に変形は生じていない。中皿１０の繰り下げを更に進行させると、閉塞部１５における下端縁１５ｂが昇降基部２１の上端に当接した状態が維持されたままであることから、該下端縁１５ｂを上方に押し上げる力が閉塞部１５に加わる。この力は、閉塞部１５における突出誘導部１７である薄肉部１９に作用して、図８（ｂ）に示すとおり、該突出誘導部１７が弓形に変形し、収容空間Ｓ、換言すれば棒状化粧料２に向けて膨出する凸の曲線を描くように撓む。この撓みによって形成された突出部１６が、収容空間Ｓ、換言すれば棒状化粧料２に向けて突出する。これによって棒状化粧料２の下端域２ａが中皿１０の収容空間Ｓ内に確実に係止される。このようにして、目的とする棒状化粧料製品３（図１参照）が得られる。本実施形態によれば、これまで説明してきた実施形態と異なり、突出部１６が曲線を描いているので、該突出部１６が棒状化粧料２に食い込みづらい。その結果、棒状化粧料２に割れや折れ等の欠陥が発生しづらくなる。
【００３７】
薄肉部１９を撓ませて突出部１６を首尾よく形成する観点から、該薄肉部１９の厚みは、閉塞部１５における薄肉部１９以外の部位の厚みに対して９０％以下であることが好ましく、７０％以下であることが好ましい。また、１０％以上であることが好ましく、２０％以上であることが好ましい。具体的には、薄肉部１９の厚みは、閉塞部１５における薄肉部１９以外の部位の厚みに対して１０％以上９０％以下であることが好ましく、２０％以上７０％以下であることが更に好ましい。
【００３８】
これまで説明してきた各実施形態においては、昇降機構２０によって中皿１０を繰り下げて、閉塞部１５の下端縁１５ｂを昇降機構２０の一部に当接させ、その当接によって閉塞部１５の下端縁１５ｂを上方に押し上げたが、これに代えて、閉塞部１５の下端縁１５ｂを、棒状化粧料容器１を構成する部材のうち、中皿１０よりも下方に位置する部材（ただし昇降機構２０を除く）に当接させ、その当接によって閉塞部１５の下端縁１５ｂを上方に押し上げるようにしてもよい。そのような部材としては、例えば本体基部４０の内側底面や本体基部４０の内側面などが挙げられる。
【００３９】
図９に示す実施形態は、これまでの実施形態と比較して、中皿１０の構造が異なっている。詳細には以下のとおりである。中皿１０には、その側面である環状周壁部１１に切欠部１３が設けられている。切欠部１３は、中皿１０の周方向に沿って、環状周壁部１１に複数箇所設けられている。切欠部１３は、中皿１０の上端縁１０ａの位置から、中皿１０の上下方向Ｘに沿って下方に向けて略平行に延びる同じ長さの２本の切り込み線を入れることで形成されている。この切り込み線は中皿１０の下端縁１０ｂにまでは達していない。切欠部１３は略矩形の形状をしている。また切欠部１３は、中皿１０の上端縁１０ａを含むように形成されている。すなわち切欠部１３は、中皿１０の上下方向に延び且つ該中皿１０の上端縁１０ａにまで達している。
【００４０】
切欠部１３の下端縁１３ｂには、閉塞部１５が連設されている。閉塞部１５は、上下方向Ｘに沿って延びており、上端縁１５ａ及び下端縁１５ｂを有している。閉塞部１５の下端縁１５ｂは、上述した切欠部１３の下端縁１３ｂと同位置にある。閉塞部１５は、切欠部１３の形成個数に対応する個数が形成されている。本実施形態においては、中皿１０の周方向に沿った見たとき、一対の切欠部１３，１３が１８０度対向する位置に設けられている。これに対応して、一対の閉塞部１５，１５が１８０度対向する位置に設けられている。
【００４１】
図９に示すとおり、各閉塞部１５は、その上端縁１５ａが中皿１０の上端縁１０ａを越えて上方に延出している。延出の度合いは、２つの閉塞部１５において同じであってもよく、あるいは異なっていてもよい。本実施形態においては、２つの閉塞部１５の延出の度合いは同じになっている。
【００４２】
図９に示すとおり、閉塞部１５のうち、その上端縁１５ａと下端縁１５ｂとの間の位置には、中皿１０の収容空間Ｓ内に突出する部位の形成が可能な突出誘導部１７が設けられている。突出誘導部１７としては例えば、閉塞部１５にその幅方向に沿って延びる折曲誘導部１８ａ，１８ｂ，１８ｃを、上下方向Ｘに距離を隔てて少なくとも３つ設けたものから構成したものを用いることができる。この場合、折曲誘導部１８ａ，１８ｂ，１８ｃは、閉塞部１５における他の部分よりも薄く形成されていることで折曲性向を有することが好ましい。あるいは、突出誘導部１７として、閉塞部１５に、その幅方向に沿って延びる薄肉部１９を、該閉塞部１５の上下方向Ｘにわたって所定の長さで設けたものを用いることもできる。
【００４３】
以上の構成を有する棒状化粧料容器１を用い、これに棒状化粧料２を固定することで、目的とする棒状化粧料製品３が得られる。この工程を図１０（ａ）ないし（ｃ）を参照しながら説明する。まず図１０（ａ）に示すとおり、本体基部４０内に、中皿１０を含む昇降機構２０、及び外筒３０を組み付ける。組み付けに際しては、昇降機構における第１昇降部２２及び第２昇降部２３を回転させて、これらを繰り出し／繰り下げ状態を調節しておく。例えば図１０（ａ）に示すとおり、第１昇降部２２及び第２昇降部２３を最も繰り上げた状態にしておく。第１及び第２昇降部２２，２３の繰り出し／繰り下げ状態がどのような場合であっても、棒状化粧料２を中皿１０内に挿入する前は、該中皿１０の閉塞部１５における上端縁１５ａが、棒状化粧料２の一部、例えば該棒状化粧料２の下端域２ａにおける上端に形成された段差部２ｂに接していないようにする。したがって閉塞部１５における突出誘導部１７に変形は生じていない。
【００４４】
次いで、中皿１０の収容空間Ｓに棒状化粧料２の下端域２ａを収容させる。上述のとおり、下端域２ａの上端には段差部２ｂが形成されている。段差部２ｂにおいては、下端域２ａよりも上側に位置する部位が、幅方向の外方に延出している。棒状化粧料２を収容空間Ｓ内に収容させるときには、昇降機構（図示せず）の昇降は行わず、中皿１０の位置は変化させないでおく。すなわち、中皿１０の閉塞部１５における上端縁１５ａが、棒状化粧料２のいずれの部位にも接していないようにしておく。
【００４５】
次いで、図１０（ｂ）に示すとおり、収容空間Ｓ内への棒状化粧料２の挿入を進行させる。それによって、閉塞部１５における上端縁１５ａが、棒状化粧料２の段差部２ｂに当接する。この時点では、閉塞部１５における突出誘導部１７には変形が生じていないか、又は収容空間Ｓ内に向けての若干の変形が生じる。
【００４６】
収容空間Ｓ内への棒状化粧料２の挿入を更に進行させると、閉塞部１５における上端縁１５ａが、棒状化粧料２の段差部２ｂに当接した状態が維持されたままであることから、該上端縁１５ａを下方に押し上げる力が閉塞部１５に加わる。閉塞部１５に加わったこの力は、該閉塞部１５における突出誘導部１７に作用して、図１０（ｃ）に示すとおり、該突出誘導部１７を起点として該閉塞部１５が変形する。この変形によって、同図に示すとおり突出部１６が形成され、該突出部１６が収容空間Ｓに向けて突出する。この際、閉塞部１５における上端縁１５ａは、中皿１０の上端１０ａと面一になることが、棒状化粧料２を確実に保持する点で好ましい。突出誘導部１７が、閉塞部１５にその幅方向に沿って延びる折曲誘導部を、上下方向Ｘに距離を隔てて少なくとも３つ設けたものから構成したものである場合には、該突出誘導部１７から形成された突出部１６は、棒状化粧料２の下端域２ａに食い込む。一方、突出誘導部１７が、閉塞部１５に、その幅方向に沿って延びる薄肉部を、該閉塞部１５の上下方向Ｘにわたって所定の長さで設けたもの構成したものである場合には、該薄肉部の撓みによって形成された突出部１６が、棒状化粧料２の下端域２ａを押し付ける。このようにして、棒状化粧料２の下端域２ａが中皿１０の収容空間Ｓ内に確実に固定される。このようにして、目的とする棒状化粧料製品３（図１１参照）が得られる。
【００４７】
以上のとおり、本実施形態によれば、棒状化粧料製品３の製造の過程において棒状化粧料２の取付及び係止が行われるので、棒状化粧料容器の外側から特殊な操作を行うことなく、中皿１０内への棒状化粧料２の保持を確実に行いつつ、該棒状化粧料２を該中皿１０内へ容易に保持させることができるという利点がある。
【００４８】
図４（ａ）ないし（ｄ）に示す手順に従い中皿１０を繰り下げて、閉塞部１５の変形によって形成された突出部１６を棒状化粧料２に食い込ませた後、再び中皿１０を繰り出す操作を行うと、変形した状態にある閉塞部１５が押し戻され、突出部１６による係止状態が解除されてしまう場合がある。同様に、図１０（ａ）ないし（ｃ）に示す手順に従い棒状化粧料２を挿入し、閉塞部１５の変形によって形成された突出部１６を棒状化粧料２に食い込ませた後、棒状化粧料製品３の落下等により棒状化粧料２に対して引き抜く力が加えられると、変形した状態にある閉塞部１５が押し戻され、突出部１６による係止状態が解除されてしまう場合がある。これを防止するために、閉塞部１５にロック機構（図示せず）を設けることが好ましい。このロック機構としては、例えば閉塞部１５の変形によって突出部１６が形成された後は、閉塞部１５が押し戻されないように閉塞部１５の変形を規制するものであることが好ましい。そのような作用を行うロック機構の具体例としては、閉塞部１５を、凹凸を利用してロックする機構などが挙げられる。そのようなロック機構は、閉塞部１５の側面と中皿１０の切欠部１３側の間などの位置に配置されていることが好ましい。
【００４９】
以上の各実施形態において用いられる棒状化粧料２としては、例えば口紅、リップクリーム、リップグロス、スティックアイシャドウ、スティックファンデーションなど棒状の形状を有する化粧料であれば、その種類に特に制限はない。
【００５０】
棒状化粧料２の処方は、この種の化粧料に用いられている処方と同様とすることができる。棒状化粧料２は一般にワックス類、ペースト類及びオイル類を主成分として含んでおり、更に着色顔料、パール顔料等の着色剤、体質顔料等の粉体、ポリマー、増粘剤、ゲル化剤、防腐剤、保湿剤、紫外線吸収剤、酸化防止剤等を含んでいる。ワックス類としては、植物ワックス、動物ワックス、石油ワックス及び鉱物ワックス等の天然ワックス又は合成ワックスのいずれでもよく、カルナウバロウ、キャンデリラロウ、ヒマワリ種子ロウ、水素添加ホホバ油、ミツロウ、硬化ひまし油、パラフィンワックス、ポリエチレンワックス、セレシン、マイクロクリスタリンワックス、フィッシャートロプシュワックス、エチレンプロピレンオリゴマー、シリコーンワックス等を適宜配合したものを用いることができる。一方オイル類としては、トリグリセライド、ジグリセライド、モノエステル、ジエステル等のエステル油、その他ポリイソブテン、スクワラン等の分岐炭化水素油、シリコーン油、フッ素油、高級アルコール、ポリグリセリンエステル、コレステロールエステル、フィトステロールエステル、揮発性シリコーン等を用いることができる。これらワックス類及びオイル類はそれぞれ一種又は二種以上を組み合わせて用いることができる。
【００５１】
以上、本発明をその好ましい実施形態に基づき説明したが、本発明は前記実施形態に制限されない。例えば前記の各実施形態は、本発明の趣旨を逸脱しない範囲で適宜に組み合わせることが可能である。例えば図９及び図１０に示す実施形態の中皿１０の閉塞部１５に設ける突出誘導部１７として、図６に示す実施形態のものや、図７に示す実施形態のものを採用することができる。
【００５２】
上述した実施形態に関し、本発明は更に以下の棒状化粧料容器、棒状化粧料製品及びその製造方法を開示する。
＜１＞
棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の底部にまで達する切欠部を設けるとともに、該切欠部の上端縁に連設され、且つ該切欠部の少なくとも一部を閉塞する閉塞部を設け、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させ、その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部が前記収容空間に向けて突出するようにした棒状化粧料容器。
【００５３】
＜２＞
前記昇降機構は、内部に空間を有する昇降基部、該昇降基部の内側に螺合する第１昇降部、及び第１昇降部の更に内側に螺合する第２昇降部を備え、
前記昇降基部を第２昇降部の軸周りに回転させることで前記中皿を昇降可能になっている前記＜１＞に記載の棒状化粧料容器。
＜３＞
前記閉塞部の前記下端縁を前記昇降基部の上端に当接させ、その当接によって該閉塞部の該下端縁を上方に押し上げるようにした前記＜２＞に記載の棒状化粧料容器。
＜４＞
本体基部を更に備え、
前記本体基部は、これを横断面視したときに、その中央域が空間になっており、
前記空間は前記本体基部の上下方向に沿って延びており、上部において開口しており、
前記空間内に、前記外筒及び前記昇降機構、並びに前記棒状化粧料の下端域が収容されるようになっており、
前記閉塞部の前記下端縁を、前記本体基部の前記空間の内側底面又は内側側面に当接させ、その当接によって該閉塞部の該下端縁を上方に押し上げるようにした前記＜１＞に記載の棒状化粧料容器。
＜５＞
棒状化粧料の下端域の収容が可能な収容空間を有する有底筒状の中皿と、該中皿の底部に連設された該中皿の昇降機構と、該中皿を収容する外筒とを備えた棒状化粧料容器であって、
前記中皿は、その周方向に沿う幅方向と、該幅方向と直交する長手方向とを有し、
前記中皿の側面に、長手方向に延び且つ該中皿の上端縁にまで達する切欠部を設けるとともに、該切欠部の下端縁に連設され、且つ該切欠部の少なくとも一部を閉塞する閉塞部を設け、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記中皿の前記収容空間に前記棒状化粧料の前記下端域を収容させるときに、前記閉塞部の前記上端縁を棒状化粧料の一部に当接させ、その当接によって該閉塞部の該上端縁を下方に押し下げることで、該閉塞部を前記突出誘導部を起点として変形させ、この変形によって形成された突出部が前記収容空間に向けて突出するようにした棒状化粧料容器。
＜６＞
前記閉塞部の前記上端縁を棒状化粧料の一部に当接させ、その当接によって該閉塞部の該上端縁を下方に押し下げて、該上端縁を、前記中皿の上端と面一にするようにした前記＜５＞に記載の棒状化粧料容器。
【００５４】
＜７＞
前記突出誘導部として、前記閉塞部にその幅方向に沿って延びる折曲誘導部を長手方向に距離を隔てて少なくとも３つ設け、
前記閉塞部を、前記折曲誘導部を起点としてく字状に折曲させ、この折曲によって形成された前記突出部が前記収容空間に向けて突出するようにした前記＜１＞ないし＜６＞のいずれか１に記載の棒状化粧料容器。
＜８＞
前記閉塞部のうち、前記折曲誘導部が、該閉塞部の他の部分よりも薄く形成されている前記＜１＞ないし＜７＞のいずれか１に記載の棒状化粧料容器。
＜９＞
長手方向に距離を隔てて設けられた３つの前記折曲誘導部のうち、中央に位置する該折曲誘導部の幅が、他の２つの該折曲誘導部の幅よりも狭くなっており、それによって、前記閉塞部に括れ部が形成されている前記＜１＞ないし＜８＞のいずれか１に記載の棒状化粧料容器。
＜１０＞
一つの前記閉塞部に、折曲によって複数の前記突出部が形成されるように前記折曲誘導部が形成されており、該閉塞部の折曲によって形成される複数の該突出部は、長手方向において異なる位置に位置している前記＜１＞ないし＜９＞のいずれか１に記載の棒状化粧料容器。
＜１１＞
前記突出部は、その先端部に向かう長さが、前記幅方向に沿う長さよりも短くなっている前記＜１＞ないし＜１０＞のいずれか１に記載の棒状化粧料容器。
【００５５】
＜１２＞
前記突起部の突出方向に沿う長さをＬとし、該突起部の基部における幅をＷとしたとき、Ｌ／Ｗの値が０．０５以上０．７以下である前記＜１１＞に記載の棒状化粧料容器。
＜１３＞
前記突出部は、その先端部に向かうに連れ、幅方向に沿う長さが漸次短くなっている前記＜１＞ないし＜１２＞のいずれか１に記載の棒状化粧料容器。
＜１４＞
前記突出誘導部として、前記閉塞部に、その幅方向に沿って延びる薄肉部を、該閉塞部の長手方向にわたって所定の長さで設け、
前記閉塞部を、前記薄肉部において撓ませ、この撓みによって形成された前記突出部が前記収容空間に向けて突出するようにした前記＜１＞ないし＜５＞のいずれか１に記載の棒状化粧料容器。
＜１５＞
前記薄肉部の厚みが、前記閉塞部における該薄肉部以外の部位の厚みに対して１０％以上９０％以下である前記＜１４＞に記載の棒状化粧料容器。
＜１６＞
前記閉塞部が、前記中皿の周方向に沿って複数設けられている前記＜１＞ないし＜１５＞のいずれか１に記載の棒状化粧料容器。
【００５６】
＜１７＞
前記閉塞部が、前記中皿の周方向に沿って複数設けられており、
各閉塞部の折曲によって形成される前記突出部の位置が、長手方向において互いに異なっている前記＜１＞ないし＜１６＞のいずれか１に記載の棒状化粧料容器。
＜１８＞
前記閉塞部が、１８０度対向する位置に一対設けられている前記＜１＞ないし＜１７＞のいずれか１に記載の棒状化粧料容器。
＜１９＞
前記＜１＞ないし＜１８＞のいずれか１に記載の棒状化粧料容器と、その棒状化粧料容器の収容空間内に下端域が収容されている棒状化粧料とを備えた棒状化粧料製品。
＜２０＞
棒状化粧料の下端域の収容が可能な収容空間を有する有底筒状の中皿と、該中皿の底部に連設された該中皿の昇降機構と、該中皿を収容する外筒と前記収容空間内に前記下端域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の底部にまで達する切欠部が設けられているとともに、該切欠部の上端縁に連設され、且つ該切欠部の少なくとも一部を閉塞する閉塞部が設けられており、
前記閉塞部は、長手方向に延び且つその下端縁が前記中皿の前記底部を越えて下方に延出しており、
前記閉塞部の上端縁と下端縁との間の位置において、該閉塞部に、前記収容空間内に突出する部位の形成が可能な突出誘導部が設けられており、
前記中皿の前記収容空間に前記棒状化粧料の前記下端域を収容させる工程と、
その収容状態から前記昇降機構によって該中皿を繰り下げて、前記閉塞部の前記下端縁を、前記棒状化粧料容器を構成する部材のうち、該中皿よりも下方に位置する部材に当接させ、その当接によって該閉塞部の該下端縁を上方に押し上げることで、該閉塞部を前記突出誘導部を起点として変形させ、この変形によって形成された突出部を前記収容空間に向けて突出させ、該下端域を該収容空間内に係止する工程とを備えた、棒状化粧料製品の製造方法。
＜２１＞
棒状化粧料の下端域の収容が可能な収容空間を有する有底筒状の中皿と、該中皿の底部に連設された該中皿の昇降機構と、該中皿を収容する外筒と、前記収容空間内に前記下端域が収容されている前記棒状化粧料とを備えた棒状化粧料製品の製造方法であって、
前記中皿は、その周方向に沿う幅方向と、該幅方向と直交する長手方向とを有し、
前記中皿の側面に、長手方向に延び且つ該中皿の上端縁にまで達する切欠部が設けられているとともに、該切欠部の下端縁に連設され、且つ該切欠部の少なくとも一部を閉塞する閉塞部が設けられており、
前記閉塞部は、長手方向に延び且つその上端縁が前記中皿の前記上端縁を越えて上方に延出しており、
前記閉塞部の上端縁と下端縁との間の位置において、該閉塞部に、前記収容空間内に突出する部位の形成が可能な突出誘導部を設け、
前記製造方法は、前記中皿の前記収容空間に前記棒状化粧料の前記下端域を収容させる工程を備え、
前記工程においては、前記閉塞部の前記上端縁を前記棒状化粧料の一部に当接させ、その当接によって該閉塞部の該上端縁を下方に押し下げることで、該閉塞部を前記突出誘導部を起点として変形させ、この変形によって形成された突出部を前記収容空間に向けて突出させ、該下端域を該収容空間内に係止する、棒状化粧料製品の製造方法。
＜２２＞
前記棒状化粧料製品が、前記＜１９＞に記載の棒状化粧料製品である前記＜２０＞又は＜２１＞に記載の棒状化粧料製品の製造方法。
【符号の説明】
【００５７】
１  棒状化粧料容器
２  棒状化粧料
２ａ  下端域
２ｂ  段差部
３  棒状化粧料製品
４  キャップ
１０  中皿
１０ａ  上端縁
１１  環状周壁部
１２  底部
１３  切欠部
１５  閉塞部
１５ａ  上端縁
１５ｂ  下端縁
１６，１６１，１６２  突出部
１７，１７１，１７２  突出誘導部
１８ａ，１８ｂ，１８ｃ  折曲誘導部
１９  薄肉部
２０  昇降機構
２１  昇降基部
２１ａ  第１段差部
２１ｂ  第２段差部
２１ｃ  第３段差部
３０  外筒
３０ａ  上端縁
３０ｂ  最上点
３０ｂ  最下点
４０  本体基部
Ｓ  収容空間
【図１】
0006548977.tif 000002
【図２】
0006548977.tif 000003
【図３】
0006548977.tif 000004
【図４】
0006548977.tif 000005
【図５】
0006548977.tif 000006
【図６】
0006548977.tif 000007
【図７】
0006548977.tif 000008
【図８】
0006548977.tif 000009
【図９】
0006548977.tif 000010
【図１０】
0006548977.tif 000011
【図１１】
0006548977.tif 000012